(57)【要約】【課題】出荷時や設置時における初期打球飛距離調整が容易であるにも拘わらす遊技者が無意識に初期設定を変更してしまうこともなく、可変抵抗器の追加も不要とする。【解決手段】可変抵抗器３０をベース体１１内に組み付るホルダ４０の下部外周にはビス孔付きボス４４が外へ向かって垂直に突設されたアームプレート４３が後方へ伸びる様に一体形成され、ベース体１１の下部壁面にはビス孔付きボス４４に対してねじ込むべきビス４５を挿通する溝孔１１ｇが円周方向に伸びる状態で形成されている。裏当てプレート４６で前後方向の位置決めがされた可変抵抗器３０は、ビス４５を緩め、その頭部を指先で操作して溝孔１１ｇに沿って回動させることで回動方向の位置を変更でき、これによって初期位置での出力電圧を調整する。その後、ビス４５を締めて初期設定を固定し、ビス４５がスリーブ２０に隠れる様にパチンコ機前面から装着する。【選択図】  図５
2010246643.tif 000002
【特許請求の範囲】
【請求項１】
回動調整軸の回動角度によって抵抗値が変化する回動調整式の可変抵抗器と、該可変抵抗器を収容するベース体と、該ベース体に対して回動可能に取り付けられたハンドルグリップと、該ハンドルグリップの回動操作量に応じて前記回動調整軸を回動させる回動量伝達部とを備え、前記ハンドルグリップの回動操作量に応じた強さで遊技球を発射させる発射ハンドルを、遊技機本体の所定位置に取り付けたパチンコ機であって、前記発射ハンドルが、さらに、以下の構成をも備えていることを特徴とするパチンコ機。
（１）前記ベース体は、遊技機本体に取り付けられる筒部と、該筒部の前端側に形成されて前方外側へ広がる拡大部とを備え、前記ハンドルグリップは、該拡大部の前端部に回動可能に取り付けられていること。
（２）前記可変抵抗器は、前記ベース体内において、前記回動調整軸を中心として回動可能に収容されていること。
（３）前記可変抵抗器には、前記回動調整軸に直交する方向へ延びる抵抗器回動レバーが一体的に取り付けられていること。
（４）前記ベース体の筒部には、前記抵抗器回動レバーの回動可能な軌跡を構成する面に沿って延びる溝孔が形成されていること。
（５）前記抵抗器回動レバーは、先端が前記溝孔から突出し、当該先端を前記ベース体の外側から操作することによって当該溝孔に沿って回動可能な構成とされていること。
【請求項２】
前記発射ハンドルが、さらに、以下の構成をも備えていることを特徴とする請求項１記載のパチンコ機。
（６）前記抵抗器回動レバーの先端部には、操作されることで、前記抵抗器回動レバーを前記溝孔に沿う方向に回動可能な状態と回動不可能な状態とで切り替える回動／不動切替部材が取り付けられていること。
【請求項３】
前記発射ハンドルが、さらに、以下の構成をも備えていることを特徴とする請求項２記載のパチンコ機。
（７）前記溝孔は、前記筒部の下面側に形成されていること。
（８）前記回動／不動切替部材は、前記抵抗器回動レバーの先端を構成し、頭が前記溝孔から突出するビスによって構成されていること。
【請求項４】
さらに、以下の構成をも備えていることを特徴とする請求項１〜３のいずれか記載のパチンコ機。
（９）前記筒部の溝孔が、常時は前記遊技機本体から前方へ突設されたカバーによって覆い隠され、前記ハンドルを当該遊技機本体から前方に取り外したときに露出される様に構成されていること。
【請求項５】
さらに、以下の構成をも備えていることを特徴とする請求項１〜３のいずれか記載のパチンコ機。
（１０）前記ハンドルは、中枠を開ことによって取り外し可能であって、該中枠を閉じた状態では前記筒部の溝孔が隠れる様に前記遊技機本体に取り付けられていること。
【発明の詳細な説明】
【技術分野】
【０００１】
本発明は、パチンコ機に係り、特に、発射ハンドルに用いられるボリューム（可変抵抗器）の初期位置を変化させることにより発射位置のバラツキを抑えるためのハンドルボリューム調整機構を備えたものに関する。
【背景技術】
【０００２】
パチンコ機の発射ハンドルに用いられるボリューム（可変抵抗器）は量産時において出力電圧に±４％程度のバラツキが生じるといわれている。また、パチンコ機の発射ハンドルは、回動方向の初期位置を固定し、不変にする設置方法が採られている。この設置方法は、パチンコ遊技機の一台ずつで発射ハンドルの回動方向の初期位置が異なる状態を生じさせる結果となる。このため、台毎にハンドル角度を対応させて遊技しなければ思い通りの飛距離が得られず、遊技者にとっては煩わしいものとなる。そこで、従来より、特許文献１〜３の様な提案がなされている。
【０００３】
特許文献１の提案は、発射ハンドルの可変抵抗器の抵抗値を予め調整するために、「抵抗R、可変抵抗R2, R3を並列に接続してなる初期打球飛距離設定回路55」を備えた制御回路33を、前面枠2の裏面に備えるものである（図１２（Ａ）参照）。
【０００４】
特許文献２の提案は、「時定数回路のうち、 コンデンサは固定コンデンサCを用いるが、固定抵抗Rと、 2個の可変抵抗VR1,VR2をそれぞれ直列に接続して用いる。この可変抵抗VR1はパチンコ台の裏面において調節できるように配置し、可変抵抗VR2は打球用のハンドル等によってパチンコ台の前面で調節する。」というものである（図１２（Ｂ）参照）。
【０００５】
特許文献３の提案は、調整つまみ84を、発射ハンドルの前面カバー82の前面中央あるいは後面カバー82の上部に、外部操作可能に設けるとうものである（図１２（Ｃ）参照）。
【特許文献１】特公平２−５８９４４号公報（１０欄１５行〜３２行、１１欄３７行〜１２欄１１行、第１図、第７図）
【特許文献２】実公平５−３２１５１号公報（３欄３４〜４１行、第１図）
【特許文献３】特開２００７−１３６０９３号公報（００６１〜００６３、００７９〜００８１、図５〜８）
【発明の概要】
【発明が解決しようとする課題】
【０００６】
特許文献１，２の提案は、可変抵抗器を追加することによる部品増加の問題に加えて、パチンコ機の裏側で初期打球飛距離の調整をしなければならず、打球の飛び具合を見ながら作業をすることができないため、調整が面倒で時間がかかるという問題がある。
【０００７】
一方、特許文献３の提案は、そもそも、遊技者自身が遊技中に飛距離調整をすることを可能にするためにパチンコ機の前面側から外部操作できる様に構成した結果、遊技機設置時の初期設定を遊技者が意図的にあるいは無意識に変更してしまうおそれがあり、次に当該遊技機に向かった者にとっては初期設定がバラバラになってしまう可能性がある。この結果、特許文献３の提案では、かえって所期の目的を達成することが困難になるという問題がある。
【０００８】
そこで、本発明は、出荷時あるいは遊技機設置時におけるボリューム調整が容易であって、遊技者が無意識に初期設定を変更してしまうことのない機構を提案することを第１の目的とし、さらには遊技者の意図的な初期設定変更をも防止し得る機構をも提案することを第２の目的とする。
【課題を解決するための手段】
【０００９】
上記第１の目的を達成するためになされた本発明のパチンコ機は、回動調整軸の回動角度によって抵抗値が変化する回動調整式の可変抵抗器と、該可変抵抗器を収容するベース体と、該ベース体に対して回動可能に取り付けられたハンドルグリップと、該ハンドルグリップの回動操作量に応じて前記回動調整軸を回動させる回動量伝達部とを備え、前記ハンドルグリップの回動操作量に応じた強さで遊技球を発射させる発射ハンドルを、遊技機本体の所定位置に取り付けたパチンコ機であって、前記発射ハンドルが、さらに、以下の構成をも備えていることを特徴とする。
（１）前記ベース体は、遊技機本体に取り付けられる筒部と、該筒部の前端側に形成されて前方外側へ広がる拡大部とを備え、前記ハンドルグリップは、該拡大部の前端部に回動可能に取り付けられていること。
（２）前記可変抵抗器は、前記ベース体内において、前記回動調整軸を中心として回動可能に収容されていること。
（３）前記可変抵抗器には、前記回動調整軸に直交する方向へ延びる抵抗器回動レバーが一体的に取り付けられていること。
（４）前記ベース体の筒部には、前記抵抗器回動レバーの回動可能な軌跡を構成する面に沿って延びる溝孔が形成されていること。
（５）前記抵抗器回動レバーは、先端が前記溝孔から突出し、当該先端を前記ベース体の外側から操作することによって当該溝孔に沿って回動可能な構成とされていること。
【００１０】
本発明のパチンコ機によれば、抵抗器回動レバーをベース体の外側から回動操作することによって可変抵抗器を回動調整軸を中心として回動させることができる。従って、ハンドルグリップの初期位置（遊技者が回動操作していないときの位置）を変更することなく、回動調整軸と可変抵抗器との初期接触位置を変更することができる。この結果、ハンドルグリップの初期位置が各パチンコ機において同一となる様に設置しても、可変抵抗器の性能のバラツキによる初期打球飛距離を一定の状態に調整することができる。この回動レバーの先端は、ベース体の筒部において突出しており、この筒部の前端には拡大部が備えられているから、目立たず、かつ、遊技者の指が不用意にこれに触れることがない。よって、本発明によれば、出荷時あるいは遊技機設置時におけるボリューム調整が容易であって、遊技者が無意識に初期設定を変更してしまうことがない。また、内部の回路における新たな可変抵抗器の追加をする必要もない。なお、初期設定の変更を防止するために、ボリューム調整後に熱可塑性樹脂による封緘をしてもよい。
【００１１】
本発明のパチンコ機において、前記発射ハンドルが、さらに、以下の構成をも備えるものとすることができる。
（６）前記抵抗器回動レバーの先端部には、操作されることで、前記抵抗器回動レバーを前記溝孔に沿う方向に回動可能な状態と回動不可能な状態とで切り替える回動／不動切替部材が取り付けられていること。
【００１２】
かかる構成を採用する場合、前述の様な封緘ではなく、調整完了後に、つまんで捻ったり、ドライバーで締めたりなど、といった所定の操作をすることにより、回動／不動切替部材を抵抗器回動レバーが溝孔に沿う方向に回動不可能な状態にすることで、初期設定を不用意に変更されない効果を発揮させることができる。封緘ではないから、遊技機設置後の経年変化によるボリューム調整の必要が生じた場合には、回動／不動切替部材をドライバーで緩めるなどといった所定の操作をして抵抗器回動レバーが回動可能な状態とすることにより、再度のボリューム調整が可能である点で、より優れたものとなる。
【００１３】
本発明のパチンコ機において、前記発射ハンドルが、さらに、以下の構成をも備えるものとすることができる。
（７）前記溝孔は、前記筒部の下面側に形成されていること。
（８）前記回動／不動切替部材は、前記抵抗器回動レバーの先端を構成し、頭が前記溝孔から突出するビスによって構成されていること。
【００１４】
かかる構成をも採用することにより、抵抗器回動レバー及びその先端の回動／不動切替部材は、遊技者から見えない位置となる。その一方、ドライバーによるビスの締め付けで抵抗器回動レバーを回動不可能な状態にすることができるので、調整作業自体の煩雑さは増大しない。
【００１５】
本発明のパチンコ機において、さらに、以下の構成をも備えるものとすることができる。
（９）前記筒部の溝孔が、常時は前記遊技機本体から前方へ突設されたカバーによって覆い隠され、前記ハンドルを当該遊技機本体から前方に取り外したときに露出される様に構成されていること。
【００１６】
あるいは、以下の構成をも備えるものとしてもよい。
（１０）前記ハンドルは、中枠を開ことによって取り外し可能であって、該中枠を閉じた状態では前記筒部の溝孔が隠れる様に前記遊技機本体に取り付けられていること。
【００１７】
これら（９）又は（１０）の構成をも採用することにより、抵抗器回動レバーも溝孔も遊技者から全く見えることがなく、一旦調整を終え、設置完了したパチンコ機に対して、遊技者が意図的に初期打球飛距離を変更する様な操作をすることができないから、第１の目的に加えて、さらに、第２の目的をも確実に達成することができる。
【発明の効果】
【００１８】
本発明によれば、出荷時や遊技機設置時における初期打球飛距離調整が容易であるにも拘わらす遊技者が無意識に初期設定を変更してしまうこともなく、しかも内部の回路における可変抵抗器の追加等も不要となる。
【図面の簡単な説明】
【００１９】
【図１】実施例１のパチンコ機において、遊技盤を取り外した状態の斜視図である。
【図２】実施例１のパチンコ機の分解斜視図である。
【図３】実施例１のパチンコ機の正面図である。
【図４】実施例１のパチンコ機のハンドルユニットの後端側から見た斜視図である。
【図５】実施例１のパチンコ機のハンドルユニットの後端側から見た斜視図である。
【図６】実施例１のパチンコ機のハンドルユニットの分解状態を半断面で示した斜視図である。
【図７】実施例１のパチンコ機のハンドルユニットの分解斜視図である。
【図８】実施例１のパチンコ機において、ハンドルユニットの取り付け状態を中枠の裏面側から見た説明図である。
【図９】可変抵抗器の量産時の許容誤差に関する説明図である。
【図１０】可変抵抗器の量産時の許容誤差による影響を示すグラフである。
【図１１】実施例２のパチンコ機において、遊技盤を取り外した状態の斜視図である。
【図１２】従来技術の説明図である。
【発明を実施するための形態】
【００２０】
以下、本発明の実施形態として、具体的な実施例を図面に基づき詳細に説明する。
【実施例１】
【００２１】
実施例１のパチンコ機を、図１〜図１０に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００２２】
実施例１のパチンコ遊技機Ｐは、図１〜図３に示す様に、外枠Ａ、中枠Ｂ、遊技盤Ｃ、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤Ｃは、中枠Ｂの開口部に取り付けられる。前枠Ｄは遊技盤Ｃの透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００２３】
図２，図８に示す様に、中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤Ｃを設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００２４】
上枠部材Ｂ１の裏側には、設置枠台等に設けられた外部球供給設備から供給されるパチンコ球を貯留する球タンクＢ６が、当該上枠部材Ｂ１の左右幅の略全幅に亘って設けられている。この球タンクＢ６は、遊技盤保持部Ｂ５に配設された遊技盤Ｃの上部位置と前後に重なるよう構成されて、遊技盤Ｃの上下寸法を最大限大きくし得るようになっている。  また、下枠部材Ｂ２の裏側には、上下の球受け皿Ｅ，Ｆに連通する球供給路および設置枠台に設けた球回収樋に連通する球排出路（いずれも図示せず）が夫々形成されたセット部材Ｂ７が配設されている。球タンクＢ６とセット部材Ｂ７とは、各部材Ｂ６，Ｂ７における左枠部材Ｂ３側の端部間に架設された球通路ユニットＢ８を介して連通接続されており、球通路ユニットＢ８に配設された球払い出し装置Ｂ９の駆動により球タンクＢ６に供給されたパチンコ球を上下の球受け皿Ｅ，Ｆへ給出するよう構成されている。
【００２５】
また、セット部材Ｂ７には、パチンコ機Ｐの電源制御を行う電源装置、球通路ユニットＢ８に配設した球払い出し装置Ｂ９を駆動制御する払い出し制御装置、打球発射装置Ｇを駆動制御する発射制御装置、各部端末に接続されるインタフェース基板等が配設されている。なお、これらの各装置は、遊技盤Ｃの裏側に配設される主制御装置に配線接続され、主制御装置からの制御信号に基づいて所定の制御を実行するようになっている。
【００２６】
打球発射装置Ｇは、ユニット化された打球操作部であるハンドルユニット１０と、中枠Ｂの裏面に設置される駆動部及び制御部（いずれも図示略）とから構成される。駆動部は、ロータリーソレノイドの回動軸の後端に連結された打球杆を備え、制御部は、ハンドルユニット１０の操作状態に基づいて、ロータリーソレノイド等への入出力制御(ハード的制御並びにソフト的制御)を行う。
【００２７】
ハンドルユニット１０は、図４〜図７に示す様に、ベース体１１、ハンドルグリップ１２、ハンドルキャップ１３等の主要部品を同一軸線上に互いに組み付けてユニット化した構造となっている。
【００２８】
合成樹脂材料により形成されたベース体１１は、円筒部１１ａの一方側にかさ状部１１ｂを設けた形状を呈している。円筒部１１ａの内部には、図４〜図６に示す様に、コネクタブロック１４及び回動調整式の可変抵抗器（ボリュームスイッチ）３０が収容されている。なお、コネクタブロック１４は、ベース体１１の後端側に配置され、可変抵抗器３０の抵抗値に応じた信号をパチンコ機本体へと出力する。
【００２９】
パチンコ機本体側である下の球受け皿Ｆの右側には、図１，図２に示す様に、ユニット装着用スリーブ２０が突設されている。そのスリーブ２０の内奥部には、図８に示す様に、中枠Ｂの裏面に取り付けられたコネクタブロック２１が配置されている。このコネクタブロック２１にはパチンコ機本体側にある発射基板２２が接続されている。スリーブ２０に対してはベース体１１の基端側が直接嵌挿されるとともに、両者はユニット下方向から挿通された１本のビスにより互いに固定されるようになっている。このようなユニット装着時においては、コネクタブロック１４からのびたコネクタケーブル１４ａのコネクタ部とパチンコ機本体側のコネクタブロック２１のコネクタ部とが連結される。このコネクタ部同士の連結を解除してビスを１本だけ外せば、スリーブ２０からベース体１１を容易に離脱させることができる。
【００３０】
図４〜図６に示す様に、ハンドルグリップ１２の回動量を電気抵抗値に変換するための可変抵抗器３０は、ベース体１１のかさ状部１１ｂの内部に配設されている。可変抵抗器３０の調整軸３１は、ハンドルユニット１０の前方側に向けられるとともに、ハンドルグリップ１２の回動軸と同軸上に配設されている。可変抵抗器３０は筒状部１１ａ内に収納された配線（図示略）を介してコネクタブロック１４の集合コネクタ部の端子に電気的に接続されている。
【００３１】
かさ状部１１ｂの内面側における所定箇所には、図４に示す様に、ソレノイドのスイッチをオンオフするためのスイッチ操作レバー１６が配設されている。このスイッチ操作レバー１６には、ハンドルグリップ１２が初期位置にあるときは自動的にソレノイドのスイッチをオフにし、初期位置から回動された後は押されて初めてスイッチオフにする機構が採用されている。また、図７に示す様に、かさ状部１１ｂの内面側における離間した３箇所には、ハンドルグリップ１２の回動範囲を規制する役割を有する柱状のボス部１１ｃが立設されている。また、かさ状部１１ｂの外周縁には、金属製のまたは表面が金属メッキされたタッチ感知環１７が取り付けられている。タッチ感知環１７はタッチセンサの構成部材であり、これに遊技者の手の一部が触れていることを１つの条件として遊技球が発射されるようになっている。
【００３２】
合成樹脂材料からなるハンドルグリップ１２はハンドルユニット１０における可動部分であって、図７に示す様に、円盤状に形成された本体部分１２ａの外周部３箇所に指掛け部１２ｂを突設した構造を有している。ハンドルグリップ１２の前面側中心部には筒状部１２ｃが突設されており、筒状部１２ｃの内部には係合片１２ｄが装着されている。この係合片１２ｄは、可変抵抗器３０の調整軸３１に形成されたＤカット面３２に当接し、ハンドルグリップ１２と可変抵抗器３０の調整軸３１とを一体回動可能に連結するための部品である。遊技球の発射強度は、ハンドルグリップ１２の回動量を調整して可変抵抗器３０の抵抗値を変化させることにより調整可能である。なお、ハンドルグリップ１２と可変抵抗器３０とは、回動軸に沿って前後方向に若干相対移動可能な状態とされている。
【００３３】
ハンドルグリップ１２の本体部分１２ａの外周部には、図７に示す様に、円弧状の案内溝１２ｅが２つ形成され、それらの案内溝１２ｅには、ベース体１１から突設された３つのボス部１１ｃがそれぞれ挿通される。こうして、ハンドルグリップ１２の案内溝１２ｅの端部にベース体１１のボス部１１ｃの側部が当接することにより、ハンドルグリップ１２の回動操作範囲が一定量に規制されるようになっている。
【００３４】
また、図４〜図７に示す様に、ハンドルグリップ１２の前面（遊技者側）を覆うためのカバー部材であるハンドルキャップ１３は、合成樹脂材料により形成された略半球状の部材であって、一般的には人の掌に納まる程度の大きさとされている。このハンドルキャップ１３の内部にはハンドルインナー１８が収納される。ハンドルインナー１８とハンドルキャップ１３は、ねじ挿通部１３ａ，１８ａに対してねじを挿通して締め付けることにより、互いに固定されている。
【００３５】
ハンドルインナー１８は、さらに、ハンドルグリップ１２の案内溝１２ｅに挿通され、前方に突出したベース体１１のボス部１１ｃの先端にもねじ止め固定されている。これにより、固定側部材であるベース体１１とハンドルインナー１８との間に、回動操作部材であるハンドルグリップ１２が配置された状態となる。
【００３６】
ハンドルグリップ１２の前面中央部には、ハンドルグリップ１２を回動復帰させるための付勢手段であるねじりばね１２ｆが配置されている。ねじりばね１２ｆの中心リング部には、ハンドルグリップ１２の筒状部１２ｃが遊挿されている。ねじりばね１２ｆの一方の端部は３つのボス部１１ｃのうちの１つに引っ掛けられるとともに、他方の端部は本体部分１２ａにおいて案内溝１２ｅよりも内周側に突設された係止凸部１２ｇに係止されている。その結果、ねじりばね１２ｆは、反時計回り方向に常時付勢力を与え、ハンドルグリップ１２を所定の位置に回動復帰させるようになっている。
【００３７】
このハンドルユニット１０において、遊技者がハンドルグリップ１２を回動させると、可変抵抗器３０の調整軸３１が、Ｄカット面３２と係合片１２ｄとの当接によって回動し、抵抗値が変化する。このとき、抵抗値は、例えば、図９に示す様に、回動角度に対してほぼリニアに変化する。しかしながら、可変抵抗器３０からの出力電圧は、図９に破線で示した様に、量産バラツキによって±４％の誤差が許容されている。このため、許容量である出力電圧±４％の誤差により、球飛びに影響が出る。このバラツキ要因により発射位置を固定したと仮定した場合、図１０に両矢印で示す様に、量産誤差によって発射レバー回転位置としては約３０度の量産誤差が発生する。この出力電圧±４％が球飛びに及ぼす影響というのが設計値上、無視出来る範囲ではない。そこで、本実施例においては、可変抵抗器３０のハンドル初期位置での出力電圧値を変更するための構造として、以下の様な工夫がなされている。
【００３８】
図５，図６に示す様に、可変抵抗器３０は、円盤状のホルダ４０に組み付けられた状態でベース体１１内に組み付けられる。ベース体１１内には、可変抵抗器３０の調整軸３１を回動可能に支持する軸筒部１１ｄを中心に備えた天板１１ｅと、この天板１１ｅに形成された抵抗器取付用ボス１１ｆ（図５では１個だけ示したが実際には複数個ある。）とが一体形成されている。
【００３９】
図５に示す様に、ホルダ４０には、ホルダ中心孔４１と、抵抗器嵌合用の長方形孔４２とが開口されている。一方、可変抵抗器３０の後端には、ホルダ中心孔４１に回動可能に挿入される円柱状凸部３３と、長方形孔４２に嵌合される長方形凸部３４とが形成されている。この結果、可変抵抗器３０は、ホルダ４０に対して軸心を一致させた状態で嵌合一体化される。
【００４０】
ホルダ４０の下部外周には、円弧状断面のアームプレート４３が後方へ伸びる様に一体形成されている。また、このアームプレート４３の後端中心には、ビス孔付きのボス４４が外へ向かって垂直に突設されている。
【００４１】
また、ベース体１１の筒状部１１ａの下部壁面には、可変抵抗器組み付け時に、ホルダ４０のビス孔付きボス４４に対してねじ込むべきビス４５を挿通する溝孔１１ｇが円周方向に伸びる状態で形成されている。
【００４２】
さらに、ホルダ４０は、組み付け時に後端面を裏当てプレート４６によって支持された状態とされる。この裏当てプレート４６は、ベース体１１の内部に形成された複数個の抵抗器取付用ボス１１ｆの内の２個以上を利用してネジ止め固定される。このとき、調整軸３１に対して直交する方向に伸びるレバーであるビス孔付きボス４４のビス孔の中心が、ベース体１１の溝孔１１ｇの中心線状に位置する様に寸法が決定されている。
【００４３】
そして、裏当てプレート４６をネジ止め固定することにより、可変抵抗器３０の前後方向の取り付け位置が位置決めされる。こうして前後方向に位置決めされた状態の可変抵抗器３０の回動方向の位置決めは、ベース体１１の溝孔１１ｇから挿入されたビス４５をビス孔付きボス４４に対して締め付けることによってなされる。このことは、また、ビス４５を緩め、このビス４５の頭部を指先で操作して溝孔１１ｇに沿って回動させると、可変抵抗器３０の回動方向の位置を変更可能であることを意味する。そして、この回動操作のとき、可変抵抗器３０の調整軸３１は、そのＤカット面３２がハンドルグリップ１２の係合片１２ｄに当接していることから、可変抵抗器３０の本体と調整軸３１との相対位置が変更される。これによって、ハンドルグリップ１２の初期位置における可変抵抗器３０の出力電圧の値を調整することができる。
【００４４】
即ち、本実施例においては、ビス孔付きボス４４及びビス４５が、本発明にいうところの抵抗器回動レバーとして機能する。なお、本実施例においては、この可変抵抗器３０の回動方向初期位置調整は、ハンドルユニット１０をパチンコ機本体から取り外した状態で実行し、ビス４５を締め付けた後、ハンドルユニット１０をスリーブ２０の前面側から挿入してコネクタブロック１４をパチンコ機側のコネクタと連結させ、ビス止めによってスリーブ２０に対して回り止めすることで取り付ける構成としている。つまり、ビス４５は締め付け状態においては、スリーブ２０内に収納された状態となる様に構成されているのである。
i［実施例１の作用・効果］
【００４５】
この様に、本実施例のパチンコ機によれば、抵抗器回動レバーであるビス４５をベース体１１の外側から回動操作することによって可変抵抗器３０を調整軸３１を中心として回動させることができる。従って、ハンドルグリップ１２の初期位置（遊技者が回動操作していないときの位置）を変更することなく、調整軸３１と可変抵抗器３０との初期接触位置を変更することができる。この結果、ハンドルグリップ１２の初期位置が各パチンコ機において同一となる様に設置したときにも、可変抵抗器３０の性能のバラツキによる初期打球飛距離を一定の状態に調整することができる。
【００４６】
また、本実施例においては、抵抗器回動レバーをビス孔付きボス４４とビス４５とで形成し、ビス４５を緩めることで回動可能な状態とし、ビス４５を締め付けることで回動不可能な状態とする構成を採用し、さらに、ビス４５がスリーブ２０で隠れた状態になるので、初期設定が遊技中の振動によって変化したり、遊技者が意図的に初期設定を変更するといったことを防止するものともなっている。
【００４７】
その一方、遊技機設置後の経年変化によるボリューム調整の必要が生じた場合には、ハンドルユニット１０をスリーブ２０から抜き出してビス４５をドライバーで緩めてホルダ４０を回動可能な状態とすることにより、再度のボリューム調整も可能である。
【実施例２】
【００４８】
実施例２のパチンコ機を、図１１に示す。この実施例２のパチンコ機は、スリーブ２０を備えていない点を除き、実施例１とほぼ同様に構成される。なお、ハンドルユニット１０をパチンコ機に固定する方法は、ベース体１１に、後端から突出する様に形成されるユニット取り付け用ボス１１ｈを利用する（図５，図６参照）。なお、図６の符号１１ｉは、コネクタブロック１４を固定するためのコネクタ取り付け用ボスである。
［実施例２の作用・効果］
【００４９】
従って、実施例２のパチンコ機においても、可変抵抗器３０の量産バラツキに対してハンドル初期位置での出力電圧を容易に調整することができる点、初期位置調整状態が遊戯中に変化しない様にするビス締めという構成による効果、さらには、設置後の調整もビス４５を緩めることで可能な点等は、実施例１と同様である。なお、スリーブ２０によって隠された状態になっていないけれども、抵抗器回動レバーであるビス４５の先端は、ハンドルユニット１０の下面側に位置して通常の遊技状態では見えず、しかもベース体１１の拡大部であるかさ状部１１ｂによって目立たず、かつ、遊技者の指が不用意にこれに触れることがない位置関係となっている。よって、本実施例においても、出荷時あるいは遊技機設置時におけるボリューム調整が容易であって、遊技者が無意識に初期設定を変更してしまうことがないという効果を十分に発揮することができる。
［実施例１，２に共通のその他の作用・効果等］
【００５０】
実施例１，２は、いずれも内部の回路における新たな可変抵抗器の追加をする必要がなく、初期設定の変更を防止するために、ボリューム調整後に熱可塑性樹脂による封緘等をしなくてもよいという作用・効果を発揮する。
【００５１】
各実施例において、固定用のビス（実施例１ではスリーブ下面、実施例２では中枠裏面）を外した状態において、コネクタケーブル１４ａの撓み分だけハンドルユニット１０をパチンコ機本体から抜き出す方向へ移動させ、ビス４５を緩めて溝孔１１ｇに沿って移動させた後締め付け、再びパチンコ機本体側へ挿入して取り付け位置に戻すことにより、パチンコ機の前面側からの操作でボリューム調整を実施したら直ちにその調整結果を打球の軌跡によって確認する作業を実行することができる。そして、調整が完了したら、実施例１ではスリーブ２０に対してビスで固定し、実施例２では中枠Ｂを開いて裏面側からユニット取り付け用ボス１１ｈにビスをねじ込んで固定することにより、ボリューム調整の完了したハンドルユニットをパチンコ機にしっかりと取り付けることができる。
【００５２】
以上、発明を実施形態として実施例１，２を説明したが、本発明は、これらに限定されるものではなく、その要旨を逸脱しない範囲内における種々の変更が可能である。
【００５３】
例えば、ビス４５を締めて初期設定状態を変更されない様にする構成に代えて、ボリューム調整後に熱可塑性樹脂による封緘をする構成としてもよい。また、スリーブ２０を備えない場合において、例えば、ホルダ４０のアームプレート４３をさらに長いものにしておき、中枠Ｂを閉鎖した状態では溝孔１１ｇが隠れ、中枠Ｂを開放して初めて溝孔１１ｇを露出させることができる様に、ハンドルユニット１０をパチンコ機に取り付ける構成としてもよい。
【００５４】
また、スリーブ２０を備えたり、溝孔１１ｇが中枠Ｂを閉じた状態で見えない位置に設定する場合において、溝孔１１ｇの位置はハンドルユニット１０の筒部下面側に限らず、上面側としても構わない。遊技者には見えないからである。
【産業上の利用可能性】
【００５５】
本発明は、量産時の可変抵抗器の許容誤差による初期位置での出力電圧のバラツキをなくする等、パチンコ機の性能の安定化に役立つ技術である。
【符号の説明】
【００５６】
Ｐ・・・パチンコ遊技機
Ａ・・・外枠
Ｂ・・・中枠
Ｃ・・・遊技盤
Ｄ・・・前枠
Ｅ・・・上の球受け皿
Ｆ・・・下の球受け皿
Ｇ・・・打球発射装置
Ｈ・・・施錠装置
１０・・・ハンドルユニット
１１・・・ベース体
１１ａ・・・円筒部
１１ｂ・・・かさ状部
１１ｃ・・・ボス部
１１ｄ・・・軸筒部
１１ｅ・・・天板
１１ｆ・・・抵抗器取付用ボス
１１ｇ・・・溝孔
１１ｈ・・・ユニット取り付け用ボス
１１ｉ・・・コネクタ取り付け用ボス
１２・・・ハンドルグリップ
１２ａ・・・本体部分
１２ｂ・・・指掛け部
１２ｃ・・・筒状部
１２ｄ・・・係合片
１２ｅ・・・案内溝
１２ｆ・・・ねじりばね
１２ｇ・・・係止凸部
１３・・・ハンドルキャップ
１３ａ・・・ねじ挿通部
１４・・・コネクタブロック
１４ａ・・・コネクタケーブル
１６・・・スイッチ操作レバー
１７・・・タッチ感知環
１８・・・ハンドルインナー
１８ａ・・・ねじ挿通部
２０・・・ユニット装着用スリーブ
２１・・・コネクタブロック２１
２２・・・発射基板
３０・・・可変抵抗器
３１・・・調整軸
３２・・・Ｄカット面
３３・・・円柱状凸部
３４・・・長方形凸部
４０・・・ホルダ
４１・・・ホルダ中心孔
４２・・・長方形孔
４３・・・アームプレート
４４・・・ビス孔付きボス
４５・・・ビス
４６・・・裏当てプレート
【図１】
2010246643.tif 000003
【図２】
2010246643.tif 000004
【図３】
2010246643.tif 000005
【図４】
2010246643.tif 000006
【図５】
2010246643.tif 000007
【図６】
2010246643.tif 000008
【図７】
2010246643.tif 000009
【図８】
2010246643.tif 000010
【図９】
2010246643.tif 000011
【図１０】
2010246643.tif 000012
【図１１】
2010246643.tif 000013
【図１２】
2010246643.tif 000014